(57)【要約】 【課題】  カード類をホルダ本体から取り出すことなくカードリーダに接触させ、カードホルダの使い勝手を良好にする。ホルダに収納されたカード類の保持力を強くする。【解決手段】  カード類を収納するホルダ本体１が板状の表側面１１，裏側面１２で構成されている。ホルダ本体１の表側面１１が収納されているカード類の一部を露出させるようにカットされ、ホルダ本体１の裏側面１２の前記カットに対応する部分がヒンジ２で外側へ傾倒可能に形成されている。【選択図】 図１
2006302200.tif 000002
【特許請求の範囲】
【請求項１】
カード類を収納するホルダ本体が板状の表側面，裏側面で構成されたカードホルダにおいて、ホルダ本体の表側面，裏側面の一の面が収納されているカード類の一部を露出させるようにカットされ、ホルダ本体の表側面，裏側面の他の面が一の面のカットに対応する部分をヒンジで外側へ傾倒可能に形成されてなることを特徴とするカードホルダ。
【請求項２】
請求項１のカードホルダにおいて、ホルダ本体は薄肉構造のヒンジとともに合成樹脂材で一体成形されていることを特徴とするカードホルダ。
【請求項３】
請求項１または２のカードホルダにおいて、ヒンジは回動支点の位置が異なる第１ヒンジ，第２ヒンジを備えていることを特徴とするカードホルダ。
【請求項４】
請求項１〜３のいずれかのカードホルダにおいて、ホルダ本体の表側面，裏側面の他面の傾倒可能とされた部分に切欠部が形成され、ホルダ本体の表側面，裏側面の他面の傾倒可能とされた以外の部分から切欠部に突出片が延長されていることを特徴とするカードホルダ
【発明の詳細な説明】
【技術分野】
【０００１】
本発明は、ＩＤカード，ネームプレート等のカード類を収納するカードホルダに係る技術分野に属する。
【背景技術】
【０００２】
最近は様々なシーンでカードが使われているが、近似特に安全管理の必要から前記カード類の提示が求められ、従ってカード類を透明なカードホルダに収納して衣服ポケットあるいは頸部に吊下げるなどして携行することが日常的になってきている。これらカード類としては、ＩＣチップ，磁気ストライプ等で必要な情報が電子的に記憶され必要に応じて読出すことがきるようになっているものがある。そして、カード類に電子的に記憶されている情報を読出すカードリーダとしては、情報管理の安全面等からいわゆる接触式のものが普及している。
【０００３】
このため、カードホルダには、収納されているカード類を接触式のカードリーダに容易に接触させることのできる構造を備えることが要求されている。
【０００４】
従来、接触式のカードリーダへの対応を指向したカードホルダとしては、例えば、以下に記載のものが知られている。
【０００５】
【特許文献１】実用新案登録第３０３７８８３号公報  特許文献１には、カード類を収納するホルダ本体をヒンジで開閉可能に可能に連結した板状の表側面，裏側面で構成したカードホルダが記載されている。
【０００６】
【特許文献２】実開平５−７０９７２号公報  特許文献２には、カード類を収納するホルダ本体を圧着ファスナで着脱可能に構成したシート状の表側面と板状の裏側面とで構成したカードホルダが記載されている。
【０００７】
【特許文献３】実用新案登録第３０４７０３０号公報  特許文献３には、カード類を収納するホルダ本体を圧着ファスナで着脱可能にしたシート状の表側面，裏側面で構成したカードホルダが記載されている。
【発明の開示】
【発明が解決しようとする課題】
【０００８】
特許文献１，２に係るカードホルダでは、ホルダ本体の表側面，裏側面を開放可能にしてカード類を取出しやすくしているが、カード類をホルダ本体から完全に取出さないと接触式のカードリーダに接触させることができず、カード類を接触式のカードリーダに接触させた後に再度ホルダ本体に収納しなければならないため、使い勝手が悪いという問題点がある。また、特許文献３に係るカードホルダでは、ホルダ本体の表側面，裏側面を開放可能にしてカード類の一部をホルダ本体から突出させ、カード類をホルダ本体から取出すことなく接触式のカードリーダに接触させることができるようにして使い勝手が改良されているが、開放された表側面，裏側面の下部先端がカードリーダーに接触してカード類の接触を阻害し、またホルダ本体が変形しやすいシート状の表側面，裏側面で構成されているため収納されるカード類の保持力が弱いという問題点がある。
【０００９】
本発明は、このような問題点を考慮してなされたもので、使い勝手が良好で収納されたカード類の保持力が強いカードホルダを提供することを課題とする。
【課題を解決するための手段】
【００１０】
前述の課題を解決するため、本発明に係るカードホルダは、特許請求の範囲の各請求項に記載の手段を採用する。
【００１１】
即ち、請求項１では、カード類を収納するホルダ本体が板状の表側面，裏側面で構成されたカードホルダにおいて、ホルダ本体の表側面，裏側面の一の面が収納されているカード類の一部を露出させるようにカットされ、ホルダ本体の表側面，裏側面の他の面が一の面のカットに対応する部分をヒンジで外側へ傾倒可能に形成されてなることを特徴とする。
【００１２】
この手段では、カード類を収納するホルダ本体の表側面，裏側面を板状とすることで、ホルダ本体を変形しにくくする。また、ホルダ本体の表側面，裏側面の一の面をカットし他の面を傾倒可能にすることで、収納されているカード類の一部をホルダ本体から突出させてホルダ本体から取出すことなく接触式のカードリーダに接触させることができるようにしている。
【００１３】
また、請求項２では、請求項１のカードホルダにおいて、ホルダ本体は薄肉構造のヒンジとともに合成樹脂材で一体成形されてなることを特徴とする。
【００１４】
この手段では、ホルダ本体，ヒンジが合成樹脂材の一体成形で製造される。
【００１５】
また、請求項３では、請求項１または２のカードホルダにおいて、ヒンジは回動支点の位置が異なる第１ヒンジ，第２ヒンジを備えてなることを特徴とする。
【００１６】
この手段では、２つのヒンジの回動支点位置を異ならせることで、ホルダ本体の表側面，裏側面の他の面の起立，傾倒の限界が規制される。
【００１７】
また、請求項４では、請求項１〜３のいずれかのカードホルダにおいて、ホルダ本体の表側面，裏側面の他の面の傾倒可能とされた部分に切欠部が形成され、ホルダ本体の表側面，裏側面の他の面の傾倒可能とされた以外の部分から切欠部に突出片が延長されていることを特徴とする。
【００１８】
この手段では、ホルダ本体の表側面，裏側面の他の面の傾倒に際して突出片に傾倒操作力に対する反力を加えることができる。
【発明の効果】
【００１９】
本発明に係るカードホルダは、カード類を収納するホルダ本体の表側面，裏側面を板状とすることで、ホルダ本体を変形しにくくしているため、カード類の保持力が強くなる効果がある。また、ホルダ本体の表側面，裏側面の一の面をカットし他の面を傾倒可能にすることで、収納されているカード類の一部（磁気ストライプ部など）をホルダ本体から突出させ、ホルダ本体からカード類を取出すことなく接触式のカードリーダに接触させることができるようにしているため、使い勝手が良好になる効果がある。
【００２０】
さらに、請求項２として、ホルダ本体，ヒンジが合成樹脂材の一体成形で製造されるため、安価，容易に製造することができる効果がある。
【００２１】
さらに、請求項３として、２つのヒンジの回動支点の位置を異ならせることで、ホルダ本体の表側面，裏側面の他の面の起立，傾倒の限界が規制されるため、ホルダ本体の表側面，裏側面の他の面の起立状態，傾倒状態を保持することができる効果がある。
【００２２】
さらに、請求項４として、ホルダ本体の表側面，裏側面の他の面の傾倒に際して突出片に傾倒操作力に対する反力を加えることができるため、ホルダ本体の表側面，裏側面の他の面の傾倒操作性が良好になる効果がある。
【発明を実施するための最良の形態】
【００２３】
以下、本発明に係るカードホルダを実施するための最良の形態を図面に基づいて説明する。
【００２４】
この形態では、吊下げ携行するのに好適なものを示してある。
【００２５】
この形態は、図１，図２に示すように、合成樹脂材で一体成形されたホルダ本体１，ヒンジ２，吊下用片３の各部で構成されている。
【００２６】
ホルダ本体１は、板状の表側面１１，裏側面１２が横側面１３によってカード類Ｃを収納可能な空間を形成して対面されている。表側面１１は、収納されたカード類Ｃのほぼ全面を露出させることができるように、下縁、左右縁を残してぼぼ全面がカットされ略凹字形に形成されている。表側面１１の内面には、表側面１１を補強し収納されたカード類Ｃの密着を避けて収納，取出しをスムースにするためのリブ１４が縦方向に延設されている。裏側面１２は、ヒンジ２を介して連結された下半部１２１，上半部１２２からなる。下半部１２１は、表側面１１に固定的に対面されている。下半部１２２の上部中程には、長方形の突出片１５が上半部１２２側に延びている。上半部１２２は、表側面１１の後ろ上方にあって可動的に配置されている。上半部１２２の下部には、長方形の切欠部１６が突出片１５に対応して切込まれている。上半部１２２の内面には、収納されたカード類Ｃの裏面の上部を受ける門形の受リブ１７が設けられ、この受リブ１７上縁中央には収納されたカード類Ｃの上端が係止される庇形の係止片１８が突設されている。上半部１２２の外面には、上半部１２２を補強する補強リブ１９が設けられている。横側面１３は、表側面１１と裏側面１２の下半部１２１とを固定している。
【００２７】
ヒンジ２は、ホルダ本体１の裏側面１２の外方へ突出してく字形に形成された第１ヒンジ２１，第２ヒンジ２２からなる。第１ヒンジ２１は、く字形のヒンジプレート２１１がホルダ本体１の裏側面１２の下半部１２１，上半部１２２に薄肉構造のヒンジ構造２１２，２１３でそれぞれ連結されている。第２ヒンジ２２は、ホルダ本体１の裏側面１２の下半部１２１，上半部１２２からそれぞれ傾斜して延長されたヒンジプレート２２１，２２２が薄肉構造のヒンジ構造２２３でく字形に連結され、下側のヒンジプレート２２１の側端に補強と収納されるカード類Ｃの案内とのためのリブ２２４が形成されている。なお、第１ヒンジ３１は、ホルダ本体１の突出片１５，切欠部１６を介して１対配置されている。第２ヒンジは、各第１ヒンジ３１の両側にそれぞれ１個ずつ配置されている。
【００２８】
吊下用片３は、ホルダ本体１の裏側面１２の上半部１２２の上端中央部に設けられた吊紐，クリップ等が接続される孔付きの円弧片からなる。
【００２９】
この形態によると、図３（Ａ）に示すように、カード類Ｃがホルダ本体１の表側面１１，裏側面１２の間に収納されることになるが、表側面１１，裏側面１２が板状で変形しにくいためカード類Ｃの保持力が強くなる。また、ヒンジ２の第１ヒンジ２１，第２ヒンジ２２の回動支点の位置が異なっているため、ホルダ本体１の裏側面１２上半部１２２の起立状態が保持され不測に傾倒することはない。従って、携行中に他人等との接触の衝撃でホルダ本体１が変形してカード類Ｃを不測に脱落させてしまうようなことは起こらない。
【００３０】
また、図３（Ｂ）に示すように、ホルダ本体１の裏側面１２の上半部１２２を傾倒させると、カード類Ｃの上半部分をホルダ本体１から突出させることができる。従って、カード類Ｃをホルダ本体１から取出すことなく接触式のカードリーダに接触させることができて使い勝手が良好になる。なお、ホルダ本体１の裏側面１２の上半部１２２を傾倒させる際に、親指等を突出片１５に当て人差指で上半部１２２の上端付近を引くことで片手で簡単に操作することができる。即ち、図３（Ａ）に示すように、ホルダ本体１の裏側面１２の傾倒操作力Ｐａに対して突出片１５に反力Ｐｂを掛けることができて、良好な傾倒操作性が得られる。また、ホルダ本体１の裏側面１２の上半部１２２を傾倒状態についても、ヒンジ２の第１ヒンジ２１，第２ヒンジ２２の回動支点の位置が異なっていることから、傾倒状態が保持され不測に起立することはない。
【００３１】
さらに、図４に示すように、カード類Ｃの収納，取出しをホルダ本体１の裏側面１２の上半部１２２を傾倒させて行うと、カード類Ｃを抜差し動作で収納，取出しすることができて便利である。
【００３２】
さらに、図５に示すように、ホルダ本体１の裏側面１２の上半部１２２を傾倒させた状態で卓Ｔ上に載せることで、会議用の名札、商品案内などを収納することができ、カードホルダ以外にカード立てとしての用途にも供することができる。この場合裏側面１２の上半部１２２の傾倒を解除すればホルダ本体１は平面的になり、保管スペースを取らない。
【００３３】
以上、図示した各例の外に、カード類ＣのＩＣチップ，磁気ストライプ等の位置に対応して、ホルダ本体１の表側面１１のカット部分の面積，位置や裏側面１２の傾倒される上半部１２２の面積，位置を調整することが可能である。
【産業上の利用可能性】
【００３４】
上述の発明は、ＩＤカード，ネームプレート等のカード類を収納するカードホルダ、或るはカード立てとして利用可能である。
【図面の簡単な説明】
【００３５】
【図１】本発明に係るカードホルダを実施するための、最良の形態の斜視図である。
【図２】図１の正面図である。
【図３】図１の側面図であり、（Ａ），（Ｂ）に異なる動作状態が示されている。
【図４】図３（Ｂ）におけるカード類の収納，取出し操作を示す図である。
【図５】図３（Ｂ）における他の使用例を示す図である。
【符号の説明】
【００３６】
１         ホルダ本体
１１          表側面
１２          裏側面
２ ヒンジ
２１          第１ヒンジ
２２          第２ヒンジ
Ｃ            カード類
【図１】
2006302200.tif 000003
【図２】
2006302200.tif 000004
【図３】
2006302200.tif 000005
【図４】
2006302200.tif 000006
【図５】
2006302200.tif 000007